(57)【要約】【課題】フレキシブルケーブルとコネクタとの接続不良の検知を行うための部品が占める占有空間やコストを抑えることができる接続不良検知方法を提供する。【解決手段】フレキシブルケーブルを有する第１基板とコネクタを有する第２基板が接続される際に、コネクタとケーブルの接続不良を検知する接続不良検知方法において、ケーブルの一方の端側にある第１配線及び他方の端側にある第２配線は、第１基板で接地され、第１配線に対応するコネクタの第１接続端子及び第２配線に対応する第２接続端子は、同時に第２基板で接地可能であって、第１又は第２接続端子の何れか一方を第２基板で接地し、他方と第２基板の接地の短絡の有無を検知する第１短絡検知工程と、他方を第２基板で接地し、一方と第２基板の接地の短絡の有無を検知する第２短絡検知工程と、を含む。【選択図】図１
2010212133.tif 000002
【特許請求の範囲】
【請求項１】
フレキシブルケーブルを有する第１基板とコネクタを有する第２基板とが、前記コネクタに前記フレキシブルケーブルが差し込まれて接続される際に、前記コネクタと前記フレキシブルケーブルとの接続不良を検知する接続不良検知方法において、
前記フレキシブルケーブルの複数の配線が並ぶ方向の、一方の端側にある第１配線及び他方の端側にある第２配線は、前記第１基板で接地され、
前記第１配線に対応する前記コネクタの第１接続端子及び前記第２配線に対応する前記コネクタの第２接続端子は、同時に前記第２基板で接地可能であって、
前記第１接続端子又は前記第２接続端子の何れか一方の端子を前記第２基板で接地し、他方の端子と前記第２基板の接地とが、前記フレキシブルケーブルと前記コネクタとが接続されたことにより短絡されているか否かを検知する第１短絡検知工程と、
前記他方の端子を前記第２基板で接地し、前記一方の端子と前記第２基板の接地とが、前記フレキシブルケーブルと前記コネクタとが接続されたことにより短絡されているか否かを検知する第２短絡検知工程と、を含むことを特徴とする接続不良検知方法。
【請求項２】
前記第１配線及び前記第２配線は、前記フレキシブルケーブルの複数の配線が並ぶ方向の両端に位置することを特徴とする請求項１に記載の接続不良検知方法。
【請求項３】
前記第１短絡検知工程又は第２短絡検知工程何れかを一方の短絡検知工程を行った結果、短絡していると検知された場合のみ、他方の短絡検知工程を行うことを特徴とする請求項１又は２に記載の接続不良検知方法。
【請求項４】
前記フレキシブルケーブルの全ての配線の内、前記第１配線及び前記第２配線のみが前記第２基板で接地されており、
前記第１短絡検知工程又は前記第２短絡検知工程の何れ一方の短絡検知工程のみを行い、前記一方の短絡検知工程で短絡していないと検知された場合、前記フレキシブルケーブルと前記コネクタとは接続不良であると判定されることを特徴とする請求項１又は２に記載の接続不良検知方法。
【請求項５】
フレキシブルケーブルを有する第１基板とコネクタを有する第２基板とが、前記コネクタに前記フレキシブルケーブルが差し込まれて接続される際に、前記コネクタと前記フレキシブルケーブルとの接続不良を検知する接続不良検知方法において、
前記コネクタの複数の接続端子が並ぶ方向の、一方の端側にある第１接続端子及び他方の端側にある第２接続端子は、前記第２基板で接地され、
前記第１接続端子に対応する前記フレキシブルケーブルの第１配線及び前記第２接続端子に対応する前記フレキシブルケーブルの第２配線は、同時に前記第１基板で接地可能であって、
前記第１配線又は前記第２配線の何れか一方の配線を前記第１基板で接地し、他方の配線と前記第１基板の接地とが、前記フレキシブルケーブルと前記コネクタとが接続されたことにより短絡されているか否かを検知する第３短絡検知工程と、
前記他方の配線を前記第１基板で接地し、前記一方の配線と前記第１基板の接地とが、前記フレキシブルケーブルと前記コネクタとが接続されたことにより短絡されているか否かを検知する第４短絡検知工程と、を含むことを特徴とする接続不良検知方法。
【請求項６】
前記第１接続端子及び前記第２接続端子は、前記コネクタの複数の接続端子が並ぶ方向の両端に位置することを特徴とする請求項５に記載の接続不良検知方法。
【請求項７】
前記第３短絡検知工程又は第４短絡検知工程何れか一方の短絡検知工程を行った結果、短絡していると検知された場合のみ、他方の短絡検知工程を行うことを特徴とする請求項５又は６に記載の接続不良検知方法。
【請求項８】
前記コネクタの全ての接続端子の内、前記第１接続端子及び前記第２接続端子のみが前記第１基板で接地されており、
前記第３短絡検知工程又は前記第４短絡検知工程の何れ一方の短絡検知工程のみを行い、前記一方の短絡検知工程で短絡していないと検知された場合、前記フレキシブルケーブルと前記コネクタとは接続不良であると判定されることを特徴とする請求項５又は６に記載の接続不良検知方法。
【請求項９】
フレキシブルケーブルを介して回路基板に電力を供給する電源装置において、
前記フレキシブルケーブルの複数の配線が並ぶ方向で、一方の端側にある第３配線及び他方の端側にある第４配線は、前記回路基板で接地されてあり、
前記フレキシブルケーブルが差し込まれて接続されるコネクタと、
前記回路基板に電力を供給する電源部と、
前記電源部の接地に対し短絡しているか否かを検知する短絡検知手段と、
前記第３配線に対応する前記コネクタの第３接続端子を、接地する又は前記短絡検知手段に接続する何れかにする第１接続切替手段と、
前記第４配線に対応する前記コネクタの第４接続端子を、接地する又は前記短絡検知手段に接続する何れかにする第２接続切替手段と、
前記第１接続切替手段により前記第３接続端子を接地し、前記第２接続切替手段により前記第４接続端子を前記短絡検知手段に接続した後、該短絡検知手段により短絡しているか否かを検知する第１短絡検知制御と、
前記第１接続切替手段により前記第３接続端子を接地し、前記第２接続切替手段により第４接続端子を前記短絡検知手段に接続した後、該短絡検知手段により短絡しているか否かを検知する第２短絡検知制御と、
前記第１短絡検知制御及び前記第２短絡検知制御で短絡していると検知された後、第１接続切替手段により、前記第３接続端子を接地し、第２接続手段により前記第４接続端子を接地する接地制御と、を行う制御部と、を有することを特徴とする電源装置。
【請求項１０】
前記第３配線及び前記第４配線は、前記フレキシブルケーブルの複数の配線が並ぶ方向の両端に位置することを特徴とする請求項９に記載の電源装置。
【請求項１１】
前記制御部は、前記第１短絡検知制御又は前記第２短絡検知制御の何れか一方の短絡検知制御を行い、その結果、短絡していると検知した場合、他方の短絡検知制御を行うことを特徴とする請求項９又は１０に記載の電源装置。
【請求項１２】
前記電源部から前記回路基板への電力の供給を開始及び停止する電力供給開始停止手段を有し、
前記制御部は、前記接地制御を行った後、前記電源部から前記回路基板への電力の供給を開始するように前記電力供給開始停止手段を制御することを特徴とする請求項９から１１の何れか一項に記載の電源装置。
【請求項１３】
請求項９から１２の何れか一項に記載の電源装置と、
前記回路基板と信号のやりとりを行い該回路基板の良否判定及び前記電源装置の制御を行う制御装置と、を有することを特徴とする検査装置。
【発明の詳細な説明】
【技術分野】
【０００１】
本発明は、接続不良検知方法、電源装置及び検査装置に関する。
【背景技術】
【０００２】
フレキシブルプリント回路基板（ＦＰＣ基板）やフレキシブルフラットケーブル（ＦＦＣ）を有する回路基板を被検査基板として電気的特性の検査を行う場合、被検査基板を検査装置（検査基板）に電気的接続を行う必要がある。被検査基板と検査装置とを接続する場合、ＦＰＣ基板の端部やＦＦＣに設けられている外部回路との接続を行う配線部（フレキシブルケーブルと称する。）を検査装置に設けているフレキシブルケーブル専用のコネクタに挿入して結合する場合ある。
【０００３】
こうしたフレキシブルケーブルとコネクタとの結合により、被検査基板と検査装置とが電気的に接続されて、例えば検査装置から回路基板へ電源が供給されたり、被検査基板と検査装置との間の信号のやりとりがなされたりすることができ、被検査基板の検査を行うことができる。
【０００４】
コネクタに対してフレキシブルケーブルを差し込む時、コネクタの複数の接続端子が並ぶ列方向に対して直交する方向ではなく誤って斜めの方向から、コネクタの接続端子部に対してフレキシブルケーブルを差し込んでしまう場合（誤挿入）がある。
【０００５】
上述した誤挿入が生じた場合、本来接続される接続端子とフレキシブルケーブルの配線とが接続されないだけでなく、本来接続されない隣接する接続端子と配線とが短絡する場合がある。被検査基板と検査装置との間で、上記の様な短絡が生じると、検査装置や被検査基板の配線や、被検査基板や検査装置が有する基板に実装されている部品が焼損したり破損したりする。
【０００６】
フレキシブルケーブルの斜め挿し等の誤挿入を防止することに関して以下がある。特許文献１には、フレキシブルケーブルを介して電子機器に第１の電源及び第２の電源を供給するフレキシブルケーブルの斜め挿し防止機能付き電源供給装置が開示されている。電源供給装置は、両端に斜め挿し検出ラインを設けてあるフレキシブルケーブルを電子機器に装着し、電子機器に供給された第１の電源の電圧レベルが両端の検出ラインのいずれもから検出された場合に、電子機器に対して第２の電源を供給する。
【０００７】
特許文献２には、接続端子の短絡不良の検出を行うことができる電子機器が開示されている。電子機器は、外部に電源を供給するための電源供給用接続端子、接地状態を検出することが可能な検出用接続端子及び検出用接続端子と隣接し、接地された接地接続端子、を含む複数の第１の接続端子が配列されたコネクタを備えたマザーボードに、第２の接続端子がそれぞれの第１の接続端子に対応して配列されたＦＰＣ基板を接続した状態で、検出用接続端子により接地状態が検出されたとき、電源供給用接続端子より外部への電源の供給を停止させる。
【先行技術文献】
【特許文献】
【０００８】
【特許文献１】特開２００６−９２８６８号公報
【特許文献２】特開２００８−１１２６４２号公報
【発明の概要】
【発明が解決しようとする課題】
【０００９】
しかしながら、特許文献１に記載してあるフレキシブルケーブルの両端に設けている検出ラインは、斜め挿し防止を行うためだけに設けられている。このため、フレキシブルケーブル及びフレキシブルケーブルが接続されるコネクタの接続端子が増え、フレキシブル基板、コネクタが大きくなるとともにコストの上昇を招く。また、両端の接続端子が斜め挿し防止専用として使用されるため、電子機器及び電源供給装置における、特に両者間の接続に関係する配線に対し制約を生じる。
【００１０】
特許文献２において、マザーボードに設けてあるコネクタは、接地状態を検出することが可能な検出用接続端子及び検出用接続端子に隣接する接地された接地接続端子を必要とし、少なくとも接地状態を検出することが可能な検出用接続端子は、斜め挿し等により生じる短絡検知のためのみに設けられている。よって、特許文献１と同様に、フレキシブルケーブルが接続されるコネクタの接続端子が増え、フレキシブルケーブル及びコネクタが大きくなるとともにコストの上昇を招き、配線に対する制約が生じる。
【００１１】
フレキシブルケーブルを備える被検査基板が製品に組み込まれるものである場合、被検査基板はできるだけ小型で低コストであることが望まれる。特許文献１において、電源供給装置から供給される第１の電源の電圧をフレキシブルケーブルの両端の検出ラインに印加する回路が電子機器に必要であるが、このような斜め挿し防止のみに使用する回路を製品となる被検査基板に搭載することは、基板の小型化、低コスト化にそぐわないものである。
【００１２】
本発明は、上記の課題を鑑みてなされたものであって、その目的とするところは、フレキシブルケーブルとコネクタとの接続不良の検知を行うための部品が占める占有空間やコストを抑えることができる接続不良検知方法、接続不良検知方法を利用した電源装置及び検査を提供することである。
【課題を解決するための手段】
【００１３】
上記の課題は、以下の構成により解決される。
【００１４】
１．フレキシブルケーブルを有する第１基板とコネクタを有する第２基板とが、前記コネクタに前記フレキシブルケーブルが差し込まれて接続される際に、前記コネクタと前記フレキシブルケーブルとの接続不良を検知する接続不良検知方法において、
前記フレキシブルケーブルの複数の配線が並ぶ方向の、一方の端側にある第１配線及び他方の端側にある第２配線は、前記第１基板で接地され、
前記第１配線に対応する前記コネクタの第１接続端子及び前記第２配線に対応する前記コネクタの第２接続端子は、同時に前記第２基板で接地可能であって、
前記第１接続端子又は前記第２接続端子の何れか一方の端子を前記第２基板で接地し、他方の端子と前記第２基板の接地とが、前記フレキシブルケーブルと前記コネクタとが接続されたことにより短絡されているか否かを検知する第１短絡検知工程と、
前記他方の端子を前記第２基板で接地し、前記一方の端子と前記第２基板の接地とが、前記フレキシブルケーブルと前記コネクタとが接続されたことにより短絡されているか否かを検知する第２短絡検知工程と、を含むことを特徴とする接続不良検知方法。
【００１５】
２．前記第１配線及び前記第２配線は、前記フレキシブルケーブルの複数の配線が並ぶ方向の両端に位置することを特徴とする前記１に記載の接続不良検知方法。
【００１６】
３．前記第１短絡検知工程又は第２短絡検知工程何れかを一方の短絡検知工程を行った結果、短絡していると検知された場合のみ、他方の短絡検知工程を行うことを特徴とする前記１又は２に記載の接続不良検知方法。
【００１７】
４．前記フレキシブルケーブルの全ての配線の内、前記第１配線及び前記第２配線のみが前記第２基板で接地されており、
前記第１短絡検知工程又は前記第２短絡検知工程の何れ一方の短絡検知工程のみを行い、前記一方の短絡検知工程で短絡していないと検知された場合、前記フレキシブルケーブルと前記コネクタとは接続不良であると判定されることを特徴とする前記１又は２に記載の接続不良検知方法。
【００１８】
５．フレキシブルケーブルを有する第１基板とコネクタを有する第２基板とが、前記コネクタに前記フレキシブルケーブルが差し込まれて接続される際に、前記コネクタと前記フレキシブルケーブルとの接続不良を検知する接続不良検知方法において、
前記コネクタの複数の接続端子が並ぶ方向の、一方の端側にある第１接続端子及び他方の端側にある第２接続端子は、前記第２基板で接地され、
前記第１接続端子に対応する前記フレキシブルケーブルの第１配線及び前記第２接続端子に対応する前記フレキシブルケーブルの第２配線は、同時に前記第１基板で接地可能であって、
前記第１配線又は前記第２配線の何れか一方の配線を前記第１基板で接地し、他方の配線と前記第１基板の接地とが、前記フレキシブルケーブルと前記コネクタとが接続されたことにより短絡されているか否かを検知する第３短絡検知工程と、
前記他方の配線を前記第１基板で接地し、前記一方の配線と前記第１基板の接地とが、前記フレキシブルケーブルと前記コネクタとが接続されたことにより短絡されているか否かを検知する第４短絡検知工程と、を含むことを特徴とする接続不良検知方法。
【００１９】
６．前記第１接続端子及び前記第２接続端子は、前記コネクタの複数の接続端子が並ぶ方向の両端に位置することを特徴とする前記５に記載の接続不良検知方法。
【００２０】
７．前記第３短絡検知工程又は第４短絡検知工程何れか一方の短絡検知工程を行った結果、短絡していると検知された場合のみ、他方の短絡検知工程を行うことを特徴とする前記５又は６に記載の接続不良検知方法。
【００２１】
８．前記コネクタの全ての接続端子の内、前記第１接続端子及び前記第２接続端子のみが前記第１基板で接地されており、
前記第３短絡検知工程又は前記第４短絡検知工程の何れ一方の短絡検知工程のみを行い、前記一方の短絡検知工程で短絡していないと検知された場合、前記フレキシブルケーブルと前記コネクタとは接続不良であると判定されることを特徴とする前記５又は６に記載の接続不良検知方法。
【００２２】
９．フレキシブルケーブルを介して回路基板に電力を供給する電源装置において、
前記フレキシブルケーブルの複数の配線が並ぶ方向で、一方の端側にある第３配線及び他方の端側にある第４配線は、前記回路基板で接地されてあり、
前記フレキシブルケーブルが差し込まれて接続されるコネクタと、
前記回路基板に電力を供給する電源部と、
前記電源部の接地に対し短絡しているか否かを検知する短絡検知手段と、
前記第３配線に対応する前記コネクタの第３接続端子を、接地する又は前記短絡検知手段に接続する何れかにする第１接続切替手段と、
前記第４配線に対応する前記コネクタの第４接続端子を、接地する又は前記短絡検知手段に接続する何れかにする第２接続切替手段と、
前記第１接続切替手段により前記第３接続端子を接地し、前記第２接続切替手段により前記第４接続端子を前記短絡検知手段に接続した後、該短絡検知手段により短絡しているか否かを検知する第１短絡検知制御と、
前記第１接続切替手段により前記第３接続端子を接地し、前記第２接続切替手段により第４接続端子を前記短絡検知手段に接続した後、該短絡検知手段により短絡しているか否かを検知する第２短絡検知制御と、
前記第１短絡検知制御及び前記第２短絡検知制御で短絡していると検知された後、第１接続切替手段により、前記第３接続端子を接地し、第２接続手段により前記第４接続端子を接地する接地制御と、を行う制御部と、を有することを特徴とする電源装置。
【００２３】
１０．前記第３配線及び前記第４配線は、前記フレキシブルケーブルの複数の配線が並ぶ方向の両端に位置することを特徴とする前記９に記載の電源装置。
【００２４】
１１．前記制御部は、前記第１短絡検知制御又は前記第２短絡検知制御の何れか一方の短絡検知制御を行い、その結果、短絡していると検知した場合、他方の短絡検知制御を行うことを特徴とする前記９又は１０に記載の電源装置。
【００２５】
１２．前記電源部から前記回路基板への電力の供給を開始及び停止する電力供給開始停止手段を有し、
前記制御部は、前記接地制御を行った後、前記電源部から前記回路基板への電力の供給を開始するように前記電力供給開始停止手段を制御することを特徴とする前記９から１１の何れか一項に記載の電源装置。
【００２６】
１３．前記９から１２の何れか一項に記載の電源装置と、
前記回路基板と信号のやりとりを行い該回路基板の良否判定及び前記電源装置の制御を行う制御装置と、を有することを特徴とする検査装置。
【発明の効果】
【００２７】
本発明の接続不良検知方法によれば、接続不良検知のために使用するフレキシブルケーブルの両端の第１配線及び第２配線は、接続不良検知をしない時に第１基板と第２基板とを接続する接地配線として使用することができる。このため、接続不良検知のためのみに配線及び接続端子を増やす必要がなく、フレキシブルケーブル及びコネクタが大きくならない。
【００２８】
また、フレキシブルケーブルを有する基板又はコネクタを有する基板のどちらか一方は、フレキシブルケーブルの両端の配線又はコネクタの両端の接続端子は、それぞれを有する第１基板又は第２基板の接地に接続されているのみである。このため、これらの基板を大きくすることはなく、接続不良検知のためのみに必要な部品を実装する必要がない。
【００２９】
従って、フレキシブルケーブルとコネクタとの接続不良検知を行うための部品が占める占有空間やコストを抑えることができる接続不良検知方法を提供することができ、また、上記の接続不良検知方法による接続不良検知を可能とする電源装置及び検査装置を提供することができる。
【図面の簡単な説明】
【００３０】
【図１】被検査基板がフレキシブルケーブルで接続された検査装置の構成を示す図である。
【図２】（ａ）は、フレキシブルケーブルがコネクタに挿入されようとしている状態を示す図である。（ｂ）は、フレキシブルケーブルがコネクタに斜め挿し状態でなく、正常な状態で接続されている状態を示す図である。
【図３】フレキシブルケーブルがコネクタに斜め挿しされ誤挿入の状態である様子を示す図である。
【図４】図１において不要部分を省略し、短絡検知部及び回路切替スイッチにおける接続例を示す図である。
【図５】図１において不要部分を省略し、短絡検知部及び回路切替スイッチにおける接続例を示す図である。
【図６】接続不良検知方法の手順の例を示すフロー図である。
【発明を実施するための形態】
【００３１】
本発明を図示の実施の形態に基づいて説明するが、本発明は該実施の形態に限らない。
【００３２】
製品となる機器に組み込まれるフレキシブルプリント回路基板（ＦＰＣ基板）と、このＦＰＣ基板が有するフレキシブルフラットケーブル（以降、ケーブルと称する。）が接続され、ＦＰＣ基板の電気的特性の検査を行う検査装置と、を例にして本発明の接続不良検知に関して説明する。
【００３３】
尚、被検査基板となるＦＰＣ基板は、この形態に限定されることはなく、フレキシブルフラットケーブルを備える基板（装置）であればよく、例えばフライングテール（フレキシブルフラットケーブル（ＦＦＣ）に相当するもの）を備えたリジッドフレキシブル基板、ＦＦＣを備えているリジッド基板などにより置き換えられる。
【００３４】
図１は、被検査基板であるＦＰＣ基板１と検査装置１００とが接続されている様子を示し、検査装置１００は、電源装置２と制御装置３とで構成されている。ＦＰＣ基板１のケーブル１１の端部は、電源装置２のコネクタ２１に挿入されて接続されている。電源装置２とＦＰＣ基板１とは、後述の検査用ライン１１ａ、１１ｂ、場合によってはＧＮＤ用ライン１１ｄ、好ましくは電源供給・停止の制御が可能な電源ライン１１ｃを含めた複数のライン（配線）で接続されている。
【００３５】
ＦＰＣ基板１の電気的特性を検査するためのケーブル１１中の信号ラインは、概念として図１のケーブル１１の双方向の矢印で示し、個々のラインは図示していない。この信号ラインは、コネクタ２１及びコネクタ２９を介して制御装置３に接続されている。尚、図１において、コネクタ２１からコネクタ２９の間の信号ライン等は省略している。
【００３６】
ケーブル１１の複数の配線が並ぶ方向の両端には、検査用ライン１１ａ、１１ｂが設けられ、これらは何れもＦＰＣ基板１が有している回路のＧＮＤ１に接続され、接地されている。検査用ライン１１ａ、１１ｂの位置は、できるだけ両端に近い方が接続不良検知の感度が高くなり、両端が最も好ましいが、これに限定されることはなく、ケーブル１１の中心より各端に向かう方向で互いに離れていれば良い。
【００３７】
電源装置２は、ＦＰＣ基板１に電源電圧Ｖｐとする電力を供給する電源部２７、第１接続切替手段である回路切替スイッチ２４、第２接続切替手段である回路切替スイッチ２５、短絡検知部及び電源装置２に全体の制御を行う制御部２８を備えている。制御部２８は、図示しないＣＰＵ、ＲＯＭ及びＲＡＭ等を備え、ＲＯＭに書き込まれたプログラムや、また制御装置３からの制御信号等に基づいて電源装置２の制御を行う。
【００３８】
電源部２７によるＦＰＣ基板１への電力の供給は、電力供給開始停止手段である電源供給スイッチ２７ａを介して行われ、電源供給スイッチ２７ａの開閉は、制御部２８により適宜行うことができる。
【００３９】
制御装置３は、パーソナルコンピュータ（ＰＣ）等が好ましく用いられ、制御部２８の制御、ＦＰＣ基板１との信号のやりとり、ＦＰＣ基板１から得た信号の解析及び解析結果からのＦＰＣ基板１の良否判定等を行う。尚、制御装置３と電源装置２は、一体とした装置として構成しても良い。
【００４０】
短絡検知手段である短絡検知部は、電源電圧Ｖｐを分圧して短絡検査用電圧Ｖｓを決めるための抵抗Ｒ１１及びＲ１２と、抵抗Ｒ１１と抵抗Ｒ１２が接続される中間の短絡検査用電圧Ｖｓをモニターするためのモニター端子２６と、モニター端子２６が接続される制御部２８が備えている電圧測定部２８ａから構成されている。図１において、抵抗Ｒ１１及び抵抗Ｒ１２は、両者を固定抵抗としているが、これに限定されることはなく、何れか一方を半固定抵抗又は可変抵抗としても良いし、両者を半固定抵抗又は可変抵抗としても良い。
【００４１】
短絡検査用電圧Ｖｓは、ＦＰＣ基板１に実装される部品の絶対最大定格により定めるのが好ましい。具体的には、例えば、ＦＰＣ基板１に電源電圧Ｖｐが供給されない状態で、後述のケーブル１１がコネクタ２１に斜め挿しされる等により検査用ライン１１ａ、１１ｂに隣接するラインを経てＦＰＣ基板１に印加された場合であっても、ＦＰＣ基板１に実装されている部品が破壊される等の悪影響を及ぼさない範囲とする。
【００４２】
検査用ライン１１ａ、１１ｂに対応する導体端子１２ａ、１２ｂそれぞれが接続されるコネクタ２１の接続端子２２ａ、２２ｂは、それぞれ回路切替スイッチ２４、２５におけるコモン端子２４ｃ、２５ｃに接続されている。回路切替スイッチ２４、２５は、コモン端子２４ｃ、２５ｃと選択的に接続されるそれぞれ選択端子２４ａ、２５ａ及び選択端子２４ｂ、２５ｂを備えている。選択端子２４ａ、２５ａはモニター端子２６に接続され、選択端子２４ｂ、２５ｂは電源装置２のＧＮＤ２に接続され、接地されている。
【００４３】
コモン端子２４ｃを選択端子２４ａ、２４ｂの何れに接続するか、及び、コモン端子２４ｃを選択端子２５ａ、２５ｂの何れに接続するか、は制御部２８により制御されている。回路切替スイッチ２４、２５は、具体的にはリレー回路やアナログスイッチが挙げられる。
【００４４】
ケーブル１１のライン中に、ＦＰＣ基板１のＧＮＤ１と電源装置２のＧＮＤ２とを接続するＧＮＤ用ライン１１ｄの様なラインを含んでいてもよく、ＧＮＤライン数は複数であってよい。
【００４５】
ＦＰＣ基板１を電源装置２に接続し、斜め挿しによる接続不良の検知を行う手順について説明する。図２（ａ）は、ケーブル１１がコネクタ２１に挿入されようとしている状態を示し、図２（ｂ）は、ケーブル１１がコネクタ２１に斜め挿し状態でなく、ケーブル１１の複数の導体端子１２が、それぞれに対応するコネクタ２１の複数の接続端子２２に接触し、良好な状態で挿入されている状態を示す。尚、導体端子１２及び接続端子２２において特定の導体端子及び接続端子を示す場合は、例えば導体端子１２ａのａのような文字を符号（１２、２２）に付加して示す。
【００４６】
図２（ｂ）において、図１に示す通り、ケーブル１１の検査用ライン１１ａ、１１ｂはそれぞれ回路切替スイッチ２４、２５のコモン端子２４ｃ、２５ｃに接続されていることになる。
【００４７】
ケーブル１１をコネクタ２１に挿入し接続する時は、電源装置２からＦＰＣ基板１への電源電圧Ｖｐの電力供給はＯＦＦ状態とするのが好ましく、図１に示すリレー回路等による電源供給スイッチ２７ａをＯＦＦ状態又は電源部２７の電源電圧Ｖｐの出力電圧を０Ｖとしておくのが好ましい。電源供給スイッチ２７ａ、又は、電源部２７の出力電圧の制御は、制御部２８が行う。
【００４８】
ケーブル１１とコネクタ２１との接続不良検知に関して。図１から図５及び図６のフロー図（Ｓ１からＳ６）を参照しながら説明する。
【００４９】
ケーブル１１をコネクタ２１に挿入（Ｓ１）し、以下の手順（１）〜（４）により接続不良の検知を行う。
【００５０】
（１）図４に示すように、制御部２８の制御により、回路切替スイッチ２４のコモン端子２４ｃと選択端子２４ａを接続し、回路切替スイッチ２５のコモン端子２５ｃと選択端子２５ｂを接続する（Ｓ２）。尚、図４は、制御部２８、回路切替スイッチ２４、２５及びこれらの周辺以外は省略している。
【００５１】
（２）モニター端子２６の電圧を測定し、短絡状態であるか否かを検知する（Ｓ２）。短絡状態であれば、検査用ライン１１ａの導体端子１２ａとこれに対応するコネクタ２１の接続端子２２ａとは接続されていると判定される。
【００５２】
電圧の測定は制御部２８が備える電圧測定部２８ａが行う。電圧測定部２８ａは、例えば、制御部２８が備えるＡ／Ｄコンバータであって、Ａ／Ｄコンバータに入力する信号ＩＮをデジタル値に変換し、更に電圧値に換算する。測定電圧値より、短絡状態であると判定するためには、予め定めた判定電圧値Ｖｊと測定電圧とを比較し、測定電圧が判定電圧値Ｖｊ以下の場合、短絡であると判定する。ここでは、図２（ｂ）に示すようにケーブル１１とコネクタ２１とが接続されているため短絡していると判定される（Ｓ３  Ｙｅｓ）。
【００５３】
判定電圧値Ｖｊは、抵抗Ｒ１１と抵抗Ｒ１２の接続位置から選択端子２４ａ、コモン端子２４ｃ、検査用ライン１１ａ、ＦＰＣ基板１のＧＮＤライン１ａ、検査用ライン１１ｂ、コモン端子２５ｃ、選択端子２５ｂを経てＧＮＤ２に到る間の抵抗値と抵抗Ｒ１１値とで電源電圧Ｖｐが分圧される電圧値に、測定誤差等の余裕を加えた値とするのが好ましい。判定電圧値Ｖｊは、経由する回路にもよるが、例えば、短絡検査用電圧ＶｓがＤＣ＋０．３Ｖとするなら、０．１Ｖ程度とすればよい。
【００５４】
抵抗Ｒ１１と抵抗Ｒ１２の接続位置から選択端子２５ｂを経てＧＮＤ２に到る間の抵抗値は、接触抵抗や配線によるため小さく、短絡状態である。尚、抵抗Ｒ１１と抵抗Ｒ１２の接続位置とＧＮＤ２との間の抵抗値は、抵抗Ｒ１１と抵抗Ｒ１２の接続位置から選択端子２４ａを経てＧＮＤ２に到る間の抵抗と抵抗Ｒ１２との並列値であるが、前者が後者に比較して十分小さいため、モニター端子２６の電圧は、ほとんど前者の抵抗値に依存する。
【００５５】
モニター端子２６の電圧が判定電圧値Ｖｊ以下であれば、少なくとも検査用ライン１１ａの導体端子１２ａとこれに対応するコネクタ２１の接続端子２２ａとは接続されていることが確認できる。しかし、検査用ライン１１ｂの導体端子１２ｂとこれに対応するコネクタ２１の接続端子２２ｂとが接続されているとは限らない。その理由は、例えばＧＮＤ用ライン１１ｄの様に、ケーブル１１の複数のラインの内、ＧＮＤ１に割り当てられたラインがあり、このラインの導体端子１２ｄが、これに対応するコネクタ２１の接続端子２２ｄに接続され、この接続端子２２がＧＮＤ２に割り当てられている場合が考えられるからである。従って、次の手順（３）に進む。
【００５６】
尚、ケーブル１１において、予め、検査用ライン１１ａ、１１ｂ以外の全てのラインがＧＮＤ１に接続されていない、又は、検査用ライン１１ａ、１１ｂに対応するコネクタ側の接続端子２２ａ、２２ｂ以外の全ての接続端子がＧＮＤ２に接続されないことが分かっている場合は、以下の（３）、（４）の検査手順は不要である。すなわち、この時点で、モニター端子２６の電圧が判定電圧値Ｖｊ以下であれば、ケーブル１１はコネクタ２１に斜め挿し等の不具合なく良好に接続されていると判定できる。この場合、接続の良否判定をより早くすることができ効率がよい。
【００５７】
（３）図５に示すように、制御部２８の制御により、コモン端子２４ｃと選択端子２４ｂを接続し、コモン端子２５ｃと選択端子２５ａを接続する（Ｓ４）。尚、図５は、制御部２８、回路切替スイッチ２４、２５及びこれらの周辺以外は省略している。
【００５８】
（４）モニター端子２６の電圧を測定し、短絡状態であるか否かを検知する（Ｓ４）。短絡状態であれば、検査用ライン１１ｂの導体端子１２ｂとこれに対応するコネクタ２１の接続端子２２ｂとは接続されていると判定される。
【００５９】
電圧の測定は、（２）で説明した場合と同じで良く、測定電圧と判定電圧値Ｖｊとを比較し、判定電圧値Ｖｊ以下の場合短絡であると判定する（Ｓ５）。検査用ライン１１ｂの導体端子１２ｂとこれに対応するコネクタ２１の接続端子２２ａとは接続されているので、モニター端子２６の電圧が判定電圧値Ｖｊ以下となり、短絡していると判定される（Ｓ５  Ｙｅｓ）。
【００６０】
上記により、ケーブル１１の両端に位置する検査用ライン１１ａ及び検査用ライン１１ｂにおいて、検査用ライン１１ａの導体端子１２ａとこれに対応するコネクタ２１の接続端子２２ａ及び検査用ライン１１ｂの導体端子１２ｂとこれに対応するコネクタ２１の接続端子２２ｂの両者が短絡状態で接続されていることが確認されたことになる。よって、ケーブル１１がコネクタ２１に斜め挿し状態でなく良好な状態で挿入され、ＦＰＣ基板１と電源装置２とが良好に接続されていることが確認できたことになる。
【００６１】
この後、図１に示す様に、コモン端子２４ｃと選択端子２４ｂ、コモン端子２５ｃと選択端子２５ｂとを接続する（Ｓ６）。この接続により、検査用ライン１１ａ、１１ｂはＦＰＣ基板１のＧＮＤ１と電源装置２のＧＮＤ２とを接続するＧＮＤラインとして機能する。このため、フレキシブルケーブル１１及びコネクタ２１の何れにも接続不良検査のみに使用する配線、接続端子はなく、接続不良検査のためにフレキシブルケーブル及びコネクタを大きくする必要はない。
【００６２】
ＦＰＣ基板１と電源装置２とが良好に接続されていることが確認できた後、電源供給スイッチ２７ａをＯＮ状態にしてＦＰＣ基板１に電源電圧Ｖｐの供給を開始し、検査を開始する。ＦＰＣ基板１の検査が終了した後は、電源供給スイッチ２７ａをＯＦＦ状態にして、ケーブル１１とコネクタ２１とを分離すればよい。
【００６３】
上記で説明したＦＰＣ基板１と電源装置２とが良好に接続されていることが確認された後、初めてＦＰＣ基板１に電源電圧Ｖｐを印加するようにするのが好ましい。ＦＰＣ基板１と電源装置２とが良好に接続されていることが確認された後、初めてＦＰＣ基板１に電源電圧Ｖｐが供給されることは、ケーブル１１がコネクタ２１に対して斜め挿しされＦＰＣ基板１と電源装置２との誤接続が原因となって、ＦＰＣ基板１の部品の破損、配線パターンの焼損等の不具合が生じるといった問題発生を防ぐことができる。これらの問題発生の防止は、電源装置２及び制御装置３が有する回路基板に対しても同様である。
【００６４】
図３は、ケーブル１１がコネクタ２１に斜め挿し状態で挿入されている様子を示している。図３に示す様子は、検査用ライン１１ａの導体端子１２ａとこれに対応するコネクタ２１の接続端子２２ａは接続されるが、検査用ライン１１ｂの導体端子１２ｂとこれに対応するコネクタ２１の接続端子２２ｂは接続されていない状態である。図３に示す状態で、上述と同じ手順（１）〜（４）により接続不良の検知を行う。
【００６５】
（１）の内容と同じ設定を行った後、（２）の内容と同様にモニター端子２６の電圧を測定する。測定電圧は、判定電圧値Ｖｊ以下になる場合もあるし、短絡検査用電圧Ｖｓとほとんど変わらない場合もある。判定電圧値Ｖｊ以下になる場合は、検査用ライン１１ｂ以外で、ＧＮＤ用ライン１１ｄのようにＧＮＤ１に割り当てられたラインがあり、このラインが斜め挿し状態であっても、コネクタ２１の接続端子２２と接して、ＧＮＤ２に接続されていると考えられる。この時点では、導体端子１２ｂと接続端子２２ｂとは接続されていないとは判断できないため、以下の手順（３）、（４）を引き続き行う（Ｓ３  Ｙｅｓ）。
【００６６】
これに対し、測定電圧が短絡検査用電圧Ｖｓとほとんど変わらない場合は、ＧＮＤ１に割り当てられているライン又はＧＮＤ２に割り当てられている接続端子２２が無い場合、又は、ＧＮＤ用ライン１１ｄのようなＧＮＤ１に割り当てられているラインがあっても、斜め挿し状態であって、コネクタ２１の接続端子２２に接触していない場合である。この場合、手順（３）、（４）を行う必要はなく、この時点で接続不良検知は終了（異常終了）される（Ｓ３  Ｎｏ）。
【００６７】
（３）の設定を行った後、（４）のモニター端子２６の電圧を測定する。この場合は、当然ながら、測定電圧は、短絡検査用電圧Ｖｓとほぼ同じで判定電圧値Ｖｊ以上であり、ケーブル１１はコネクタ２１に斜め挿し状態で接続不良であると判定され、接続不良検知は終了（異常終了）される（Ｓ５  Ｎｏ）。
【００６８】
斜め挿し状態が図３で示した上記とは逆の方向の傾きであって、検査用ライン１１ａの導体端子１２ａとこれに対応するコネクタ２１の接続端子２２ａは接続されていないが、検査用ライン１１ｂの導体端子１２ｂとこれに対応するコネクタ２１の接続端子２２ｂは接続される状態の場合がある。この場合も上記と同様に手順（１）、（２）を行い、その結果、測定電圧値が、判定電圧値Ｖｊ以下にならないで、斜め挿し状態であると判定され、接続不良検知手順は終了（異常終了）される（Ｓ３  Ｎｏ）。このように、手順（３）以降に進まないで終了することは、接続不良検知を効率良く行うことができるので好ましい。
【００６９】
以上で説明した斜め挿し等による接続不良検知方法においては、被検査基板であるＦＰＣ基板には、接続不良検知のためのみに使用する配線や部品を設ける必要がない。このため、被検査基板の負担を軽くすることができ、被検査基板の低コスト化、小型化及び信頼性の向上に寄与する。また、被検査基板の設計に際しては、検査装置に接続するケーブルの両端のラインをＧＮＤに指定する以外に制約がなく、設計時に検査を考慮する負担を軽減することができる。
【００７０】
また、これまでの説明では、電源装置２側にコネクタ、被検査基板であるＦＰＣ基板１側にケーブルとしているが、これに限定されることはなく、電源装置２側にケーブルを備え、被検査基板側にコネクタを備えているとしてもよい。
【符号の説明】
【００７１】
１  ＦＰＣ基板
１ａ  ＧＮＤライン
２  電源装置
３  制御装置
１１  ケーブル
１１ａ、１１ｂ  検査用ライン
１１ｄ  ＧＮＤ用ライン
１２、１２ａ、１２ｂ、１２ｄ  導体端子
２１、２９  コネクタ
２２、２２ａ、２２ｂ、２２ｄ  接続端子
２４、２５  回路切替スイッチ
２６  モニター端子
２７  電源部
２７ａ  電源供給スイッチ
２８  制御部
２８ａ電圧測定部
２４、２５  回路切替スイッチ
Ｖｐ  電源電圧
Ｖｓ  短絡検査用電圧
【図１】
2010212133.tif 000003
【図２】
2010212133.tif 000004
【図３】
2010212133.tif 000005
【図４】
2010212133.tif 000006
【図５】
2010212133.tif 000007
【図６】
2010212133.tif 000008